(57)【要約】【課題】  場所や設備の制約を受けない１００Ｖ商用電源を利用してエンジンを始動するガスヒートポンプエアコンシステムのエンジン始動装置を提供することである。【解決手段】  スタータモータ（１５）を駆動してエンジン（２）を始動するエンジン始動装置において、前記スタータモータの電源手段を、複数のセルを直列に接続した蓄電手段（１６）と、商用電源（１７）を利用して前記蓄電手段を充電する充電手段と、各セルの電圧を検出し、前記複数セル間の電圧の分布範囲が規定値以下になるようにセルごとに充電する均等化制御を行う制御手段（４０）と、から構成する。【選択図】図３
2005278294.tif 000002
【特許請求の範囲】
【請求項１】
スタータモータを駆動してエンジンを始動するエンジン始動装置において、前記スタータモータの電源手段を、複数のセルを直列に接続した蓄電手段と、商用電源を利用して前記蓄電手段を充電する充電手段と、各セルの電圧を検出し、前記複数セル間の電圧の分布範囲が規定値以下になるようにセルごとに充電する均等化制御を行う制御手段と、から構成することを特徴とするエンジン始動装置。
【請求項２】
前記エンジン始動装置の休止期間中に、前記均等化制御を行うことを特徴とする請求項１に記載のエンジン始動装置。
【請求項３】
前記スタータモータの始動前に、前記蓄電手段の電圧を検出し、前記電圧が規定値以下の場合、前記蓄電手段の充電を行うことを特徴とする請求項１または２に記載のエンジン始動装置。
【請求項４】
前記スタータモータを規定時間が経過するまで回しても前記エンジンが始動しない場合、いったん前記スタータモータを止め、前記蓄電手段の電圧を測定し、前記電圧が規定値以下であるとき、前記蓄電手段を再充電してから前記スタータモータを再度始動することを特徴とする請求項１から３のいずれかに記載のエンジン始動装置。
【請求項５】
前記蓄電手段を、電気二重層キャパシタで構成したことを特徴とする請求項１から４のいずれかに記載のエンジン始動装置。
【発明の詳細な説明】
【技術分野】
【０００１】
本発明は、エンジン始動装置に関する。
【背景技術】
【０００２】
エンジン付ヒートポンプ冷暖房装置の始動装置として、自動車のように蓄電池を用いてエンジンを始動するものがある。しかし、シーズンオフの稼動休止の期間に、蓄電池が故障・劣化するなどの不具合が多かった。そこで、商用電源を利用したエンジン始動用ＡＣ−ＤＣ電源部を設置してエンジンの始動を行うものが普及している。
【０００３】
また、大容量コンデンサを用い、エンジンを始動する始動装置もある。
【０００４】
なお、このようなエンジン始動装置には、例えば、特許文献１に記載されたものがある。
【特許文献１】特開平７−３２４６６７号公報
【発明の開示】
【発明が解決しようとする課題】
【０００５】
しかし、商用電源を利用するエンジン始動装置では、スタータ駆動時の瞬時突入電流が大きいことから、一般的な１００Ｖ電源では容量が足りず、２００Ｖの３相交流電源を専用に引き込む必要があり、コスト面と設備設置場所の面から制約があった。
【０００６】
また、大容量コンデンサを用いる装置では、一般的なコンデンサではスタータ駆動に必要な容量が確保できないという問題があった。
【０００７】
本発明の目的は、したがって、休止期間が長くても信頼性、耐久性が高く、場所の制約を受けない１００Ｖ商用電源を利用したエンジン始動装置を提供することである。
【課題を解決するための手段】
【０００８】
上記目的を達成するために、第１の発明は、スタータモータを駆動してエンジンを始動するエンジン始動装置において、前記スタータモータの電源手段を、複数のセルを直列に接続した蓄電手段と、商用電源を利用して前記蓄電手段を充電する充電手段と、各セルの電圧を検出し、前記複数セル間の電圧の分布範囲が規定値以下になるようにセルごとに充電する均等化制御を行う制御手段と、から構成する。
【０００９】
第２の発明は、第１の発明において、前記エンジン始動装置の休止期間中に、前記均等化制御を行う。
【００１０】
第３の発明は、第１または２の発明において、前記スタータモータの始動前に、前記蓄電手段の電圧を検出し、前記電圧が規定値以下の場合、前記蓄電手段の充電を行う。
【００１１】
第４の発明は、第１から３のいずれかの発明において、前記スタータモータを規定時間が経過するまで回しても前記エンジンが始動しない場合、いったん前記スタータモータを止め、前記蓄電手段の電圧を測定し、前記電圧が規定値以下であるとき、前記蓄電手段を再充電してから前記スタータモータを再度始動する。
【００１２】
第５の発明は、第１から４のいずれかの発明において、前記蓄電手段を、電気二重層キャパシタで構成したことを特徴とする。
【発明の効果】
【００１３】
第１の発明においては、商用電源を利用して充電しても、蓄電手段の各セルの電圧の分布範囲が規定値以下になるようにセルごとに充電を行うことにより、各セルの間に電圧のばらつきが生じた場合でも、各セルの電圧を最大電圧まで充電することができ、より確実に十分な電流をスタータモータに供給することができる。
【００１４】
第２の発明においては、休止期間中に、蓄電手段の自然放電などにより各セル間で電圧のばらつきが生じた場合でも、均等化制御によって各セルの電圧を均等に保つことができるため、蓄電手段の保守点検を不要とすることができる。
【００１５】
第３の発明においては、スタータモータの始動前に、蓄電手段の電圧を検出し、電圧が規定値以下の場合に蓄電手段の充電を行うことにより、確実にスタータモータに十分な電流を供給することができる。
【００１６】
第４の発明においては、規定時間のスタータモータ駆動によってもエンジンが始動せず、蓄電手段の電圧が減少した場合でも、蓄電手段の充電を行うことにより、十分な電流をスタータモータに供給することができる。
【００１７】
第５の発明においては、蓄電手段に瞬時に大容量の電流を流せる電気二重層キャパシタを用いることにより、場所や設備の制約を受けない１００Ｖ商用電源を利用して蓄電手段を充電しても、スタータモータに十分な電流を供給することができる。また、電気二重層キャパシタは耐久性が高いいため、休止期間が長くても劣化が少なく、スタータモータに確実に電流を供給することができる。
【発明を実施するための最良の形態】
【００１８】
以下、本発明の実施形態を添付図面に基づいて説明する。
【００１９】
本発明は、例えば、図１または図２に示すシステムのエンジン始動装置として用いられる。
【００２０】
図１は、本発明を適用するガスヒートポンプエアコンシステムのブロック図である。
【００２１】
エアコンシステムは室外機５と複数の室内機６とから構成される。
【００２２】
室外機５は、エンジン２と、エンジン２をスタートするエンジン始動装置１と、エンジン２により駆動されるコンプレッサ３と、これらを制御するコントローラ４と、から主に構成される。
【００２３】
コンプレッサ３は冷媒を圧縮して高温にし、各室内機６に供給する。室内機６で熱を放出した冷媒はコンプレッサ３に戻され、再び圧縮される。なお、室内機６の温度や風量はリモコン７で設定される。
【００２４】
図２は、本発明を適用するコージェネシステムのブロック図である。
【００２５】
コージェネシステムは、エンジン２と、エンジン２を始動するエンジン始動装置１と、エンジン２が駆動する発電機８と、これらを制御するコントローラ４と、から主に構成される。
【００２６】
発電機８は発電した電力を各給電設備１１に供給する。熱交換器９は、エンジン２が排出する排出ガスの熱を利用して湯を沸かし、各給湯設備１０に供給する。
【００２７】
図３は、上述のエンジンを駆動力としたガスヒートポンプエアコンシステムまたはコージェネシステムに適用するエンジン始動装置１の概略構成図である。
【００２８】
エンジン始動装置１は、エンジン２に初期駆動力を与えるスタータモータ１５と、スタータモータ１５に電流を供給する電気二重層キャパシタ１６と、１００Ｖ商用電源１７を使って電気二重層キャパシタ１６を充電する充電器１３と、充電器１３を制御する充電器コントローラ１２と、電気二重層キャパシタ１６のキャパシタセルの電圧を均等化するためのキャパシタコントローラ４０と、から主に構成される。
【００２９】
なお、１８は始動スイッチ、２１はスタータモータ１５の駆動電流の供給を制御するリレー回路、２０はリレースイッチ、１９はコイルである。
【００３０】
電気二重層キャパシタ１６は、直列に接続された複数のキャパシタセル（Ｃ１〜Ｃｎ）から構成される。
【００３１】
各キャパシタセル（Ｃ１〜Ｃｎ）は、それぞれ１個のキャパシタから構成してもよいし、複数のキャパシタを並列接続したものを１つのキャパシタセルとみなしてもよい。
【００３２】
このように、瞬時に大容量の電流を流すことのできる電気二重層キャパシタ１６をスタータモータ１５の電源として用いることにより、場所や設備の制約を受けない１００Ｖ商用電源１７を利用して電気二重層キャパシタ１６を充電しても、スタータモータ１５に十分な電流を供給することができる。また、電気二重層キャパシタは耐久性が高いため、休止期間が長くても劣化が少なく、スタータモータ１５に確実に電流を供給することができる。
【００３３】
電気二重層キャパシタ１６のキャパシタセルの電圧を均等化するためのキャパシタコントローラ４０は、図９に示すように、電流制限用抵抗４１とバイパストランジスタ４２とからなるバイパス回路５０、OR回路４３、コンパレータ４４、バイパス基準電圧発生手段４５、セル電圧検出切替え回路４６、絶縁アンプ４７、AD変換回路４８、バイパス切替え回路４９、切替え信号出力回路５１、データ通信回路５２、中央演算処理装置（CPU）５３、読み出し専用メモリ(ROM)５４、ランダムアクセスメモリ(RAM)５５とを、備えている。
【００３４】
コンパレータ４４は、キャパシタセル（Ｃ１〜Ｃｎ）の分担電圧と一定のバイパス基準電圧とを比較する。そして、充電によってキャパシタセル（Ｃ１〜Ｃｎ）の分担電圧がバイパス基準電圧発生手段４５で設定される電圧以上になると、そのキャパシタセルの充電を防ぐためにバイパス指令を出力する。なお、バイパス基準電圧は、キャパシタセルの耐電圧付近（使用可能な最大電圧）、例えば2.7Vに設定される。
【００３５】
バイパストランジスタ４２は、OR回路４３のオン出力により、ベース電圧が印加されると、バイパス回路５０を導通させる。前記バイパス指令は、OR回路４３を介しバイパストランジスタ４２をオンし、キャパシタセル（Ｃ１〜Ｃｎ）の充電電流の一部をバイパスさせる。このバイパス判断は、キャパシタセル（Ｃ１〜Ｃｎ）それぞれについて行われる。このようにして、各キャパシタセル（Ｃ１〜Ｃｎ）の電圧を、使用可能な最大電圧に制限し均等化することができる。
【００３６】
キャパシタコントローラ４０は、最大電圧に均等化する回路だけでなく、任意の電圧でキャパシタセル（Ｃ１〜Ｃｎ）の電圧を均等化する回路を備えている。これについて以下に説明する。
【００３７】
セル電圧切替え回路４６は、AD変換回路４８で電圧が読み込まれる対象のキャパシタセル（Ｃ１〜Ｃｎ）を、切替え信号出力回路５１からの信号に基づいて、逐次切替える。AD変換回路４８から、デジタル化された電圧信号がCPU５３に取り込まれる。この時、絶縁アンプ４７により、キャパシタセル（Ｃ１〜Ｃｎ）を含む主電源系回路とAD変換回路４８は絶縁されている。
【００３８】
CPU５３は、モジュール内の各キャパシタセル（Ｃ１〜Ｃｎ）の電圧に基づいてバイパスの判断を行う。又、CPU５３は、切替え信号出力回路５１を介して、バイパス切替え回路４９に切替え信号を送出する。この切替え信号に基づき、バイパス切替え回路４９は、バイパスが必要になったセル３０に対し、バイパス指令を出力する。バイパス指令は、コンパレータ４４からのバイパス指令とのＯＲをとるＯＲ回路４３を介しトランジスタ４２をオンさせる。このようにして、キャパシタセル（Ｃ１〜Ｃｎ）の充電電流の一部がバイパス回路５０を流れるバイパス処理が行われる。
【００３９】
上述のようにキャパシタコントローラ４０を構成することで、システムの休止期間中に電気二重層キャパシタ１６の各セルの電圧が均等になるように充電する。
【００４０】
これにより、電気二重層キャパシタ１６の各セルの電圧の分布範囲が規定値以下になるように、セルごとに充電を行い、各セルの間に電圧のばらつきが生じた場合でも、各セルの電圧を最大電圧まで充電することができ、より確実に十分な電流をスタータモータ１５に供給することができる。
【００４１】
また、休止期間中に、電気二重層キャパシタ１６の自然放電などにより各セル間で電圧のばらつきが生じた場合でも、均等化制御によって各セルの電圧を均等に保つことができるため、電気二重層キャパシタ１６の保守点検を不要とすることができる。
【００４２】
コントローラ４による、システムの始動は、まず電気二重層キャパシタ１６の電圧を検出することから始められる。この電圧が規定値以下の場合は、スタータモータ１５の始動前に、電気二重層キャパシタ１６の充電を行う。
【００４３】
このように、コントローラ４が、スタータモータ１５の始動前に電気二重層キャパシタ１６の電圧を検出し、電圧が規定値以下の場合に電気二重層キャパシタ１６の充電を行うことにより、確実にスタータモータ１５に十分な電流を供給することができる。
【００４４】
スタータモータ１５の始動は、コントローラ４が始動回路の起動スイッチ１８をオンにし、第１コイル１９を励磁する。すると、リレースイッチ２０が押されてリレー回路２１を閉路にし、電気二重層キャパシタ１６とスタータモータ１５を継電することで、電気二重層キャパシタ１６の電流がスタータモータ１５に供給される。
【００４５】
スタータモータ１５の始動から規定時間以内にエンジン２が始動した場合、エンジン始動完了とし、電気二重層キャパシタ１６に充電を行ってからエンジン始動装置を停止する。
【００４６】
スタータモータ１５の始動から規定時間以内にエンジン２が始動しない場合、いったんスタータモータ１５の駆動を停止し、次にスタータモータ１５を駆動するだけの電力が電気二重層キャパシタ１６に残っているか否かを確認する。電気二重層キャパシタ１６に電力が残っていないときは、電気二重層キャパシタ１６の充電を行ってから、再度スタータモータ１５を駆動する。
【００４７】
このように、規定時間のスタータモータ駆動によってもエンジン２が始動せず、電気二重層キャパシタ１６の電圧が減少した場合でも、電気二重層キャパシタ１６の充電を行うことにより、十分な電流をスタータモータ１５に供給することができる。
【００４８】
次に、ガスヒートポンプエアコンシステムまたはコージェネシステムを始動させるとき、コントローラ４が実行する具体的な制御ルーチンを、図４のフローチャートに基づいて説明する。
【００４９】
まず、ステップＳ５１でルーチンを開始する。
【００５０】
ステップＳ５２で、システムの運転状態を検出する。
【００５１】
ステップＳ５３で、システムが運転しているか停止しているかを判定する。システムが運転している場合は、ステップＳ５５に進む。システムが停止している場合は、ステップＳ５４のサブルーチンに進み、均等化制御処理を行い、各セルの電圧が均等になるように充電する。均等化制御処理については、後に詳述する。
【００５２】
ステップＳ５５で、システムの始動スイッチがオンであるか否かを確認する。システムの始動スイッチがオンでない場合、ステップＳ６４に進み、ルーチンを終了する。
【００５３】
ステップＳ５６で、キャパシタ１５の総電圧が規定値以下であるか否かを判定する。
総電圧が規定値以下でない場合、ステップＳ５８に進む。総電圧が規定値以下の場合、ステップＳ５７のキャパシタ充電制御処理のサブルーチンに進み、電気二重層キャパシタ１６全体の充電を開始する。このキャパシタ充電制御処理については後に詳述する。
【００５４】
ステップＳ５８で、起動スイッチ１８をオンにし、スタータモータ１５を回す。
【００５５】
ステップＳ５９で、エンジン２が始動したか否かを判定する。エンジン２が始動している場合、ステップＳ６０に進み、エンジン始動完了とする。エンジン２が始動していない場合、ステップＳ６２に進み、スタータモータ１５を規定時間回しつづけたか否かを判定する。規定時間を経過していない場合、ステップＳ５９に戻る。規定時間が経過した場合、ステップＳ６３の再始動制御処理サブルーチンに進む。この再始動制御処理サブルーチンについては、後に詳述する。
【００５６】
ステップＳ６１で、起動スイッチ１８をオフにしてスタータモータ１５を停止する。
【００５７】
ステップＳ６４で、ルーチンを終了する。
【００５８】
次に、図５を参照して、ステップS５４のサブルーチンについて説明する。ここでは、電気二重層キャパシタ１６の各セルの均等化を行うもので、バイパス判定処理及びバイパス指令処理が実行される。
【００５９】
まず、ステップS11において、各セルのバイパス処理を実行するかどうか判定する際に使用する判定基準電圧Vaを決定する。なお、判定基準電圧決定ルーチンは後述する図６のフローチャートに示す。
【００６０】
ステップS12において、１番目からｎ番目までのキャパシタセル（C1〜Cn）のバイパス判定を開始するに際して、キャパシタセルの番号を示す変数ｉを１に設定する。
【００６１】
ステップS13においてi番目のキャパシタセルの電圧V(i)が判定基準電圧Vaより小さい場合は、ステップS17に進んでバイパス指令出力はオフされ、バイパスは行われない。キャパシタセルの電圧V(i)が判定基準電圧Va以上の場合、ステップS14に進んで、i番目のセルのバイパスが終了してから所定時間Taが経過したかどうか判断する。所定時間Ta経過している場合、ステップS15に進みバイパスを開始する。
【００６２】
このようにして、バイパスを行う時間間隔を所定時間Taあけることにより、バイパストランジスタ４２の発熱と電力消費を抑えることができる。
【００６３】
ステップS14で判断が否の場合は、バイパスは行わずステップS1７に進んでバイパス指令はオフの状態になり、その後ステップS18において全セルの処理が終了したかどうか（つまりi＝ｎかどうか）を判断する。
【００６４】
ステップS15では、バイパス切替え回路４９からのバイパス指令に基づいて、i番目のセル（Ci）の充電電流のバイパスが開始される。
【００６５】
次に、ステップS16において、このバイパスが一定時間Tbの間実行されたかどうかを判定する。バイパスが開始してから一定時間Tb経過した場合は、ステップS17においてバイパス指令をオフし、バイパスを終了する。
【００６６】
ステップS16において一定時間Tb経過していない場合は、ステップS18に進んで全セルの処理が終了したかどうか判断する。ステップS18で判断が否の場合、ステップS19に進んでセルの番号を示すiに１を加え、その後ステップS13に戻って次の（i+1）番目のセルが判定基準電圧Va以上かどうか判定する。
【００６７】
図６は、バイパスの判定基準電圧決定ルーチンを示したものである。まず、ステップS21において、キャパシタセルの最高電圧及び最低電圧の判定を行うにあたり、セルの番号iに１をセットする。
【００６８】
次にステップS22において、以下のようにキャパシタセルの最低電圧Vminと最高電圧Vmaxの検出処理を行う。
【００６９】
まずi番目のキャパシタセルのセル電圧V(i)が最低電圧Vmin以下かどうか判定する。最低電圧以下である場合は、最低電圧Vminをセル電圧V(i)とする（つまりVmin＝V(i)）。最低電圧以下でない場合は、i番目のセル電圧V(i)が最高電圧Vmax以上かどうか判定する。最高電圧以下である場合は、最高電圧Vmaxをセル電圧V(i)とする（つまりVmax＝V(i)）。なお、i＝１の場合は、最低電圧Vminと最高電圧Vmaxはともに、１番目のセル電圧V(1)とする。
【００７０】
続いて、ステップS23で全セルが終了したかどうか判定し、終了していない場合は、ステップS24でセル番号iに１を加え、ステップS22に戻り最低電圧と最高電圧の検出処理を行う。全セル終了した場合は、ステップS25で、最高電圧と最低電圧の差ΔVを計算する（ΔV＝Vmax-Vmin）。
【００７１】
次にステップS26において、その電圧差ΔVが規定値Vｋ以内かどうか判定する。規定値Vｋ以内のときはこのルーチンを終了する。規定値Vｋより大きい場合、ステップS27でモジュールの総電圧Vtを検出した後、ステップS28でモジュールの総電圧Vtを電気二重層キャパシタ内のキャパシタセルの数ｎで除算してセルの平均電圧Vmeanを計算する（Vmean＝Vt/n）。なお、ステップS28では、キャパシタセルの平均電圧Vmeanは、ハイブリッドECUで検出したキャパシタ蓄電装置の総電圧を、キャパシタ蓄電装置内の全キャパシタセル数で除算して求めても良い。
【００７２】
次に、ステップS29で、セル平均電圧Vmeanと規定値Vkの2分の１を足して判定基準電圧Vaとする（Va＝Vmean+Vk/２）。その後、このルーチンを終了する。
【００７３】
なお、ステップS26において、電圧差ΔVが規定値Vｋより小さい場合、ルーチンはリターンする。
【００７４】
次に、図７を参照して、上記のバイパス制御において補正するキャパシタセルを決定する方法をより詳細に説明する。バイパス処理が行われる前は、モジュール内のキャパシタセルのセル電圧は、図７下図のように平均電圧Vmeanのまわりに分布している。しかし、上記したバイパス処理において、平均電圧Vmeanに対してVk/２以上の電圧をもつキャパシタセル（つまり、Vmean+Vk/２より高い電圧を持つセル）に対する充電電流は、一部バイパス回路を通って流れる。従って、バイパスが繰り返し実行されることにより、セルの電圧は、充電中に時間の経過と共に共に均等化されていく。最終的には、図７上図のようにセル電圧のばらつきΔV（＝Vmax-Vmin）をある一定の条件下（Vk以内）に維持しておくことができる。
【００７５】
規定値Vkの値を例えば、0.1Vに設定すると、各キャパシタセルは、ほとんど同時に最高電圧まで充電することが可能である。従って、キャパシタ蓄電装置は、最大電圧近傍での利用が可能になり、高い効率で運転可能となる。
【００７６】
図８は、バイパスによって補正を行うことにより、電圧のばらつきが規定値Vk以内に補正されていく様子を示したものである。キャパシタセルの電圧が判定基準電圧Vaに達すると、充電電流の一部がバイパス回路を流れ始め、キャパシタセルの電圧の増加は抑えられる。
【００７７】
一定時間Tb経過後バイパスは終了し、その後キャパシタセルの電圧は、バイパスしない場合と同程度の傾きを持って、時間と共に上昇していく。なお、ここでは、一度だけバイパスされる場合を示したが、一定のバイパス時間Tb及びバイパス間隔Taを設けてあり、徐々に分担電圧のばらつきが補正されていく場合もある。
【００７８】
図１０は、ステップＳ５７のキャパシタ充電制御処理ルーチンを示したものである。
【００７９】
ステップＳ７１で電気二重層キャパシタ１６の充電を開始する。
【００８０】
ステップＳ７２で電気二重層キャパシタ１６の総電圧を測定し、総電圧が規定値以上であるか否かを判定する。総電圧が規定値以上でない場合、ステップＳ７２に戻り、総電圧が規定値以上になるまで充電を続ける。総電圧が規定値以上である場合、ステップＳ７３に進み、充電を終了する。
【００８１】
図１１は、ステップＳ６３の再始動制御処理ルーチンを示したものである。
【００８２】
ステップＳ８１で、起動スイッチ１８をオフにする。
【００８３】
ステップＳ８２で、電気二重層キャパシタ１６の総電圧を測定し、総電圧が規定値以下であるか否かを判定する。総電圧が規定値以下でない場合、ステップＳ８２に戻る。総電圧が規定値以下である場合、ステップＳ８３に進み、上述したキャパシタ充電制御処理ルーチンを実行する。
【００８４】
ステップＳ８４で、起動スイッチ１８をオンにし、スタータモータ１５を回す。
【００８５】
ステップＳ８５で、エンジン２が始動したか否かを判定する。エンジン２が始動した場合、ステップＳ８６に進み、エンジン始動完了とする。エンジン２が始動しない場合、ステップＳ８７に進む。
【００８６】
ステップＳ８７で、起動スイッチ１８をオンしてから規定時間が経過したか否かを判定する。規定時間が経過していない場合、ステップＳ８５に戻り、スタータモータ１５を回し続ける。規定時間が経過している場合、ステップＳ８１に戻る。
【００８７】
上述のように、本実施形態によれば、スタータモータ１５を駆動してエンジン２を始動するエンジン始動装置において、スタータモータ１５の電源手段を、複数のセルを直列に接続した電気二重層キャパシタ１６と、商用電源１７を利用して電気二重層キャパシタ１６を充電する充電手段１２、１３と、各セルの電圧を検出し、前記複数セル間の電圧の分布範囲が規定値以下になるようにセルごとに充電する均等化制御を行う制御手段４０と、から構成したので、商用電源１７を利用して充電しても、電気二重層キャパシタ１６の各セルの電圧の分布範囲が規定値以下になるようにセルごとに充電を行うことにより、各セルの間に電圧のばらつきが生じた場合でも、各セルの電圧を最大電圧まで充電することができ、より確実に十分な電流をスタータモータに供給することができる。
【００８８】
また、瞬時に大容量の電流を流せる電気二重層キャパシタ１６を用いることにより、場所や設備の制約を受けない１００Ｖ商用電源１７を利用して蓄電手段を充電しても、スタータモータ１５に十分な電流を供給することができる。また、電気二重層キャパシタ１６は耐久性が高いいため、休止期間が長くても劣化が少なく、スタータモータ１５に確実に電流を供給することができる。
【００８９】
本発明を、構造的と方法的特徴に関してある程度特定的な言葉で説明したが、本明細書に開示した手段は本発明を実施する好ましい形態を含むものであり、本発明はこれら図示し記載された特定の特徴に制限されないことを理解されたい。したがって、本発明は、均等の原則に従って適切に解釈される特許請求の範囲に記載された範囲内におけるいかなる形態または変更についても含むものである。
【産業上の利用可能性】
【００９０】
本発明はガスヒートポンプエアコンシステムおよびコージェネシステムに適用できる。
【図面の簡単な説明】
【００９１】
【図１】本発明を適用するガスヒートポンプエアコンシステムのブロック図である。
【図２】本発明を適用するコージェネシステムのブロック図である。
【図３】本発明のエンジン始動装置の概略構成図である。
【図４】本発明のエンジン始動装置制御の基本ルーチンを説明するフローチャートである。
【図５】均等化制御処理を説明するフローチャートである。
【図６】判定基準電圧決定処理を説明するフローチャートである。
【図７】充電バイパスにおいて補正するキャパシタセルを決定する方法を示す図である。
【図８】分担電圧のばらつきが補正されていく様子を示す図である。
【図９】キャパシタコントローラの構成図である。
【図１０】キャパシタ充電制御処理を説明するフローチャートである。
【図１１】再始動制御処理を説明するフローチャートである。
【符号の説明】
【００９２】
１  エンジン始動装置
２  エンジン
３  コンプレッサ
８  発電機
１３  充電器
１５  スタータモータ
１６  電気二重層キャパシタ
１７  １００Ｖ商用電源
Ｃ１〜Ｃｎ  キャパシタセル
【図１】
2005278294.tif 000003
【図２】
2005278294.tif 000004
【図３】
2005278294.tif 000005
【図４】
2005278294.tif 000006
【図５】
2005278294.tif 000007
【図６】
2005278294.tif 000008
【図７】
2005278294.tif 000009
【図８】
2005278294.tif 000010
【図９】
2005278294.tif 000011
【図１０】
2005278294.tif 000012
【図１１】
2005278294.tif 000013